(57)【特許請求の範囲】
【請求項１】
回転可能に支持された巻取軸（５）と、その巻取軸（５）に一端が係止され、他端にウェイトバー（６）が連結されたスクリーン（２）と、そのスクリーン（２）の左右の側縁に沿って設けられたファスナ（２１）を上下にスライド可能に保持する左右のインナーレール（２０）と、その各インナーレール（２０）を収容する左右一対のガイドレール（３）と、その各ガイドレール（３）に対して左右のインナーレール（２０）を左右外向きに付勢する弾性部材（２４）と、上枠（２５）と下枠（２６）を左右一対の側枠（２７）で連結した方形の固定枠（４）とを有し、前記上枠（２５）に前記巻取軸（５）を取り付け、前記左右の側枠（２７）に前記各ガイドレール（３）を取り付け、
前記上枠（２５）が、左右に延びる上部水平板（２５ｂ）と、上部水平板（２５ｂ）の前縁に沿って上向きに曲げて形成された上部壁面固定板（２５ａ）と、上部水平板（２５ｂ）の後縁に沿って下向きに曲げて形成された巻取軸取付板（２５ｃ）とからなり、
前記下枠（２６）が、左右に延びる下部水平板（２６ｂ）と、下部水平板（２６ｂ）の前縁に沿って下向きに曲げて形成された下部壁面固定板（２６ａ）とからなり、
前記側枠（２７）が、上下に延びて左右に対向する一対の側板（２７ｂ）と、各側板（２７ｂ）の前縁に沿って左右外向きに曲げて形成された側部壁面固定板（２７ａ）と、各側板（２７ｂ）の後縁に沿って左右内向きに曲げて形成されたガイドレール取付板（２７ｃ）とからなり、
前記上部水平板（２５ｂ）の左右両端を前記側板（２７ｂ）の上端に結合し、前記上部壁面固定板（２５ａ）の左右両端を側部壁面固定板（２７ａ）の上端に結合し、前記下部水平板（２６ｂ）の左右両端を前記側板（２７ｂ）の下端に結合し、前記下部壁面固定板（２６ａ）の左右両端を側部壁面固定板（２７ａ）の下端に結合した一体型ロールスクリーンユニット。
【請求項２】
前記巻取軸取付板（２５ｃ）の左右両端をガイドレール取付板（２７ｃ）に結合した請求項１に記載の一体型ロールスクリーンユニット。
【請求項３】
前記側板（２７ｂ）の幅を、ガイドレール（３）の幅と同一か、それよりも広幅となるように形成した請求項１または２に記載の一体型ロールスクリーンユニット。
【発明の詳細な説明】
【技術分野】
【０００１】
この発明は、壁面の開口を開閉する一体型ロールスクリーンユニットに関する。
【背景技術】
【０００２】
電子機器工場や食品工場等の清潔を要する施設では、防塵や防虫のために、ロールスクリーンが使用されることが多い。例えば、クリーンルームの内外で搬送物の受け渡しを行なう場合、搬送物の受け渡し用の開口部をクリーンルームの壁面に設け、その開口部にロールスクリーンが取り付けられる。
【０００３】
かかるロールスクリーンとして、スクリーン収納ボックス内で回転可能に支持された巻取軸と、その巻取軸に一端が係止され、他端にウェイトバーが連結されたスクリーンと、そのスクリーンの左右の側縁に沿って設けられたファスナを上下にスライド可能に保持する左右のインナーレールと、その各インナーレールを収容する左右一対のガイドレールと、その各ガイドレールに対して左右のインナーレールを左右外向きに付勢する弾性部材とからなるものが一般に使用される（例えば特許文献１）。
【０００４】
このロールスクリーンは、左右のインナーレールが、スクリーンの側縁に設けられたファスナを上下にスライド可能に保持するので、スクリーンを閉じたときに左右に隙間が生じにくく、内外の気密性を効果的に保つことができ、防塵や防虫に好適である。また、左右のインナーレールが弾性部材によって左右外向きに付勢されているので、スクリーンに左右方向の張力が付与され、たるみが生じにくい。
【先行技術文献】
【特許文献】
【０００５】
【特許文献１】特開２０１０−７７７９６号公報
【発明の概要】
【発明が解決しようとする課題】
【０００６】
ところで、上記ロールスクリーンを壁面に取り付けるに際しては、図７に示すスクリーン収納ボックス４０と左右一対のガイドレール４１とを別部材として現場に搬送し、次のように順を追って壁面に取り付けていた。
【０００７】
まず、壁面４２の開口４３の上縁部４４に、巻取軸を取り外した状態でスクリーン収納ボックス４０を取り付ける。このとき、スクリーン収納ボックス４０は、左右の高さが揃うように水平に、かつ、壁面４２の開口４３の中心に対して左右均等の配置となるようにする。
【０００８】
次に、壁面４２の開口４３の左右の側縁部４５にガイドレール４１を取り付ける。このとき、ガイドレール４１は、スクリーン収納ボックス４０に対して垂直となるように、かつ、左右のガイドレール４１が互いに平行となるようにする。その後、左右の各ガイドレール４１内に、図示しないインナーレールと、インナーレールを付勢する弾性部材とを挿入する。続いて、スクリーン４６の巻取軸をスクリーン収納ボックス４０内に組み込むとともに、巻取軸から繰り出されたスクリーン４６の左右の側縁のファスナをインナーレールに挿入する。
【０００９】
最後に、スクリーン４６の昇降操作をおこなって、スクリーン収納ボックス４０およびガイドレール４１に位置ずれがないかどうかを確認する。すなわち、スクリーン４６の中心が左右のガイドレール４１の中心に対してずれていたり、左右のガイドレール４１が平行でなかったり、ガイドレール４１がスクリーン収納ボックス４０内の巻取軸に対して垂直でなかったりすると、左右のインナーレールに作用する弾性部材の力の大きさが左右で違ってくるため、スクリーン４６にしわが入ったり、スクリーン４６が巻取軸に斜めに巻き取られたりする。かかる取り付け誤差がある場合は、シムや長穴を利用して取り付け位置の調整を行なう。
【００１０】
従来は、以上のようにしてロールスクリーンの取り付け作業を行なっていたが、スクリーン収納ボックス４０やガイドレール４１を正確な位置関係となるように現場で取り付けるのは容易ではなく、またいったん取り付けたスクリーン収納ボックス４０やガイドレール４１を位置調整する作業が煩雑であった。
【００１１】
この発明が解決しようとする課題は、ロールスクリーンの現場での取り付け作業性を向上させることである。
【課題を解決するための手段】
【００１２】
上記の課題を解決するため、この発明では、回転可能に支持された巻取軸と、その巻取軸に一端が係止され、他端にウェイトバーが連結されたスクリーンと、そのスクリーンの左右の側縁に沿って設けられたファスナを上下にスライド可能に保持する左右のインナーレールと、その各インナーレールを収容する左右一対のガイドレールと、その各ガイドレールに対して左右のインナーレールを左右外向きに付勢する弾性部材と、上枠と下枠を左右一対の側枠で連結した方形の固定枠とを有し、前記上枠に前記巻取軸を取り付け、前記左右の側枠に前記各ガイドレールを取り付けた一体型ロールスクリーンユニットを提供する。
【００１３】
この一体型ロールスクリーンユニットは、予め、スクリーンの巻取軸とガイドレールが方形の固定枠に取り付けられているので、その固定枠を壁面に固定するだけで、ロールスクリーンの取り付け作業が完了し、巻取軸やガイドレールの位置ずれも生じない。そのため、現場での取り付け作業がきわめて容易である。
【００１４】
前記固定枠としては、上枠が、左右に延びる上部水平板と、上部水平板の前縁に沿って上向きに曲げて形成された上部壁面固定板と、上部水平板の後縁に沿って下向きに曲げて形成された巻取軸取付板とからなり、下枠が、左右に延びる下部水平板と、下部水平板の前縁に沿って下向きに曲げて形成された下部壁面固定板とからなり、側枠が、上下に延びて左右に対向する一対の側板と、各側板の前縁に沿って左右外向きに曲げて形成された側部壁面固定板と、各側板の後縁に沿って左右内向きに曲げて形成されたガイドレール取付板とからなり、前記上部水平板の左右両端を前記側板の上端に結合し、前記上部壁面固定板の左右両端を側部壁面固定板の上端に結合し、前記下部水平板の左右両端を前記側板の下端に結合し、前記下部壁面固定板の左右両端を側部壁面固定板の下端に結合したものを採用すると好ましい。
【００１５】
この固定枠は、壁面の開口に嵌め込み、上部壁面固定板、下部壁面固定板、左右の側部壁面固定板をそれぞれ壁面の開口の周縁部にビス等で固定することで壁面に取り付けられる。このとき、巻取軸取付板およびガイドレール取付板が壁面よりも後方に奥まった配置となるので、巻取軸およびガイドレールが壁面から前方に突出しにくく、巻取軸およびガイドレールを壁面に直接取り付けた場合よりも省スペースである。
【００１６】
また、この固定枠は、上部水平板の左右両端を側板の上端に結合し、上部壁面固定板の左右両端を側部壁面固定板の上端に結合しているので、上枠と側枠が交差するコーナー部分の剛性が極めて高い。同様に、下部水平板の左右両端を側板の下端に結合し、下部壁面固定板の左右両端を側部壁面固定板の下端に結合しているので、下枠と側枠が交差するコーナー部分の剛性が極めて高い。そのため、一体型ロールスクリーンユニットを出荷して現場に搬送する際に、固定枠が変形して寸法誤差が発生するのを確実に防止することができる。
【００１７】
さらに、前記固定枠は、巻取軸取付板の左右両端をガイドレール取付板に結合すると、さらに剛性を高めることができる。
【００１８】
また、前記側板の幅を、ガイドレールの幅と同一か、それよりも幅広となるように形成すると、ガイドレールが側部壁面固定板より前方に突出しないので、一体型ロールスクリーンユニットを壁面に取り付けたときの壁面からの突出量を最小限に抑えることができ、極めて省スペースである。
【発明の効果】
【００１９】
この発明の一体型ロールスクリーンユニットは、予め、スクリーンの巻取軸とガイドレールが方形の固定枠に取り付けられているので、その固定枠を壁面に固定するだけで、ロールスクリーンの取り付け作業が完了し、巻取軸やガイドレールの位置ずれも生じない。そのため、現場での取り付け作業がきわめて容易である。
【図面の簡単な説明】
【００２０】
【図１】この発明の実施形態の一体型ロールスクリーンユニットから固定枠を外した状態を示す分解斜視図
【図２】この発明の実施形態の一体型ロールスクリーンユニットの斜視図
【図３】図２に示す一体型ロールスクリーンユニットの正面図
【図４】図３のIV−IV線に沿った断面図
【図５】図３の巻取軸近傍の拡大断面図
【図６】図３のVI−VI線に沿った断面図
【図７】従来のロールスクリーンを示す斜視図
【発明を実施するための形態】
【００２１】
図１〜図３に、この発明の実施形態の一体型ロールスクリーンユニットを示す。この一体型ロールスクリーンユニットは、図１に示すように、水平に長く延びるスクリーン収納ボックス１と、スクリーン収納ボックス１から下方に引き出されるスクリーン２と、スクリーン２の左右に設けられた一対のガイドレール３と、方形の固定枠４とを有し、図２および図３に示すように、スクリーン収納ボックス１およびガイドレール３を予め固定枠４に取り付けた状態で出荷して取り付けの現場に搬送されるものである。
【００２２】
図４に示すように、スクリーン２の上端は、スクリーン収納ボックス１内に収納された巻取軸５に係止され、スクリーン２の下端は、左右のガイドレール３の間を水平に延びるウェイトバー６が連結されており、このウェイトバー６によってスクリーン２に長さ方向の張力が付与されている。スクリーン２としては、軟質のポリエステル樹脂や塩化ビニル樹脂の成形シートからなる空気遮断用のスクリーンや、ガラス繊維や樹脂繊維の織物からなる遮光用のスクリーンが使用される。
【００２３】
スクリーン収納ボックス１は、左右方向に長く延びる天板８および背面板９からなるボックス本体１０と、ボックス本体１０の両端に固定された左右一対の端板１１と、ボックス本体１０に着脱可能に装着されたボックスカバー１２とからなる。スクリーン収納ボックス１の下面には、スクリーン２の引出し口１３が設けられている。
【００２４】
図５に示すように、巻取軸５は、両端が開放する筒状に形成され、その巻取軸５の一端に、スクリーン収納ボックス１の一方の端板１１に回転可能に接続された軸受筒１４が挿入され、巻取軸５の他端に、スクリーン収納ボックス１の他方の端板１１に接続された減速機付きのモータ１５が挿入されている。モータ１５は、巻取軸５の内部への挿入端にロータ１６を有し、そのロータ１６の外周に設けられた突起１７が、巻取軸５の内周に形成された軸方向の溝１８に係合し、この突起１７と溝１８の係合によりロータ１６と巻取軸５が一体に回転するようになっている。
【００２５】
図６に示すように、左右のガイドレール３は、上下方向に長く延びて左右内向きに開口する断面コ字状に形成されている。ガイドレール３の開口には、ウェイトバー６の左右両端に設けられたスライドピース１９が差し込まれ、このスライドピース１９をガイドレール３が上下にスライド可能に案内している。また、各ガイドレール３の内部には、上下方向に長く延びてガイドレール３と同じ長さをもつインナーレール２０が収容されている。
【００２６】
各インナーレール２０には、スクリーン２の左右の側縁に沿って設けられたファスナ２１を収容するガイド溝２２が形成されている。ガイド溝２２はファスナ２１が通過できない開口幅を有し、ファスナ２１を抜け止めした状態で上下にスライド可能に保持するようになっている。
【００２７】
インナーレール２０は、ガイドレール３の開口部に形成された内向き突条２３とインナーレール２０の間に組み込まれたゴム製の弾性部材２４により、ガイドレール３に対して左右外向きに付勢され、スクリーン２に幅方向の張力を付与している。このインナーレール２０でファスナ２１をスライド可能に保持することによって、スクリーン２を閉じたときに左右に隙間が生じにくく、内外の気密性を効果的に保つようになっている。
【００２８】
固定枠４は、ステンレス鋼板等の金属板で形成され、図１に示すように、上枠２５と下枠２６を左右一対の側枠２７で連結した方形とされている。
【００２９】
図４に示すように、上枠２５は、左右に延びる上部水平板２５ｂと、上部水平板２５ｂの前縁に沿って上向きに曲げて形成された上部壁面固定板２５ａと、上部水平板２５ｂの後縁に沿って下向きに曲げて形成された巻取軸取付板２５ｃとからなる。下枠２６は、左右に延びる下部水平板２６ｂと、下部水平板２６ｂの前縁に沿って下向きに曲げて形成された下部壁面固定板２６ａとからなる。
【００３０】
図６に示すように、側枠２７は、上下に延びて左右に対向する一対の側板２７ｂと、各側板２７ｂの前縁に沿って左右外向きに曲げて形成された側部壁面固定板２７ａと、各側板２７ｂの後縁に沿って左右内向きに曲げて形成されたガイドレール取付板２７ｃとからなる。
【００３１】
図５に示すように、上部壁面固定板２５ａの左右両端は、左右の各側部壁面固定板２７ａの上端に溶接して結合されている。上部水平板２５ｂの左右両端も、左右の各側板２７ｂの上端に溶接して結合されている。同様に、下部壁面固定板２６ａの左右両端も、左右の各側部壁面固定板２７ａの下端に溶接して結合され、下部水平板２６ｂの左右両端も、左右の各側板２７ｂの下端に溶接されて結合されている。また、図１に示すように、巻取軸取付板２５ｃの左右両端が、左右の各ガイドレール取付板２７ｃに溶接して結合されている。
【００３２】
図１に示すように、巻取軸取付板２５ｃには、長手方向に沿って間隔をおいて複数の貫通孔２９が設けられており、図４に示すように、この貫通孔２９に挿入したボルト３０にナット３１を掛けることで、スクリーン収納ボックス１のボックス本体１０の背面板９が巻取軸取付板２５ｃに固定されている。
【００３３】
また、図１に示すように、ガイドレール取付板２７ｃにも、長手方向に沿って間隔をおいて複数の貫通孔３２が設けられており、図６に示すように、この貫通孔３２に挿入したボルト３３にナット３４を掛けることで、ガイドレール３がガイドレール取付板２７ｃに固定されている。ここで、側板２７ｂの幅は、ガイドレール３の幅と同一か、それよりも幅広となるように形成され、ガイドレール取付板２７ｃにガイドレール３を固定した状態で、ガイドレール３が側部壁面固定板２７ａより前方に突出しないようになっている。
【００３４】
図１に示すように、上部壁面固定板２５ａ、下部壁面固定板２６ａ、左右の側部壁面固定板２７ａには、それぞれ、長手方向に沿って間隔をおいて複数の貫通孔３５が設けられている。
【００３５】
上記一体型ロールスクリーンユニットは、スクリーン２の中心が左右のガイドレール３，３の中心に対してずれていたり、左右のガイドレール３，３が平行でなかったり、ガイドレール３がスクリーン収納ボックス１内の巻取軸５に対して垂直でなかったりすると、左右のインナーレール２０，２０に作用する弾性部材２４の力の大きさが左右で違ってくるため、スクリーン２にしわが入ったり、スクリーン２が巻取軸５に斜めに巻き取られたりする。そのため、かかる取り付け誤差がある場合は、出荷前の段階において、固定枠４に対するスクリーン収納ボックス１およびガイドレール３の取り付け位置の調整を行なっておく。
【００３６】
次に、上記の一体型ロールスクリーンユニットを現場で取り付ける作業を説明する。まず、図２に示すように、上部水平板２５ｂと下部水平板２６ｂと左右一対の側板２７ｂとで構成される角筒が嵌合する大きさの開口３６を壁面３７に設ける。次に、その開口３６に固定枠４を嵌め込み、上部壁面固定板２５ａ、下部壁面固定板２６ａ、左右の側部壁面固定板２７ａにそれぞれ設けられた貫通孔３５にビス３８を挿入して壁面３７の開口３６の周縁部３９にねじ込むことで、壁面３７に固定枠４を固定する。
【００３７】
この一体型ロールスクリーンユニットは、予め、スクリーン２の巻取軸５とガイドレール３が方形の固定枠４に取り付けられているので、その固定枠４を壁面３７に固定するだけでロールスクリーンの取り付け作業が完了し、巻取軸５やガイドレール３の位置ずれも生じない。そのため、現場での取り付け作業がきわめて容易である。
【００３８】
また、この一体型ロールスクリーンユニットは、壁面３７に取り付けたときに、巻取軸取付板２５ｃおよびガイドレール取付板２７ｃが壁面３７よりも後方に奥まった配置となるので、巻取軸５およびガイドレール３が壁面３７から前方に突出しにくく、巻取軸５およびガイドレール３を壁面３７に直接取り付けた場合よりも省スペースである。特に、側板２７ｂの幅が、ガイドレール３の幅と同一か、それよりも幅広となるように形成されているので、一体型ロールスクリーンユニットを壁面３７に取り付けたときの壁面３７からの突出量が最小限に抑えられ、極めて省スペースである。
【００３９】
また、この一体型ロールスクリーンユニットの固定枠４は、上部水平板２５ｂの左右両端を側板２７ｂの上端に溶接して結合し、上部壁面固定板２５ａの左右両端を側部壁面固定板２７ａの上端に溶接して結合しているので、上枠２５と側枠２７が交差するコーナー部分の剛性が極めて高い。同様に、下部水平板２６ｂの左右両端を側板２７ｂの下端に溶接して結合し、下部壁面固定板２６ａの左右両端を側部壁面固定板２７ａの下端に溶接して結合しているので、下枠２６と側枠２７が交差するコーナー部分の剛性が極めて高い。そのため、一体型ロールスクリーンユニットを出荷して現場に搬送する際に、固定枠４が変形して寸法誤差が発生するのを確実に防止することができる。さらに、巻取軸取付板２５ｃの左右両端もガイドレール取付板２７ｃに溶接して結合することにより、固定枠４の剛性が一層高いものとなっている。
【符号の説明】
【００４０】
２        スクリーン
３        ガイドレール
４        固定枠
５        巻取軸
６        ウェイトバー
２０      インナーレール
２１      ファスナ
２４      弾性部材
２５      上枠
２５ａ    上部壁面固定板
２５ｂ    上部水平板
２５ｃ    巻取軸取付板
２６      下枠
２６ａ    下部壁面固定板
２６ｂ    下部水平板
２７      側枠
２７ａ    側部壁面固定板
２７ｂ    側板
２７ｃ    ガイドレール取付板
【図１】
0005736249.tif 000002
【図２】
0005736249.tif 000003
【図３】
0005736249.tif 000004
【図４】
0005736249.tif 000005
【図５】
0005736249.tif 000006
【図６】
0005736249.tif 000007
【図７】
0005736249.tif 000008